(57)【要約】      （修正有）【課題】一定の自浄能力を有し、シール効果が持続的であり、かつ部材が老朽化する状況を低下させる直管式の内部Ｕ字管床ドレンを提供する。【解決手段】非対称内部Ｕ字管１と、浮力柱カバー３１とを含み、非対称内部Ｕ字管の外形は切欠き付きの直管であり、頂部には突出環と入水管２の入水口とが設けられ、底部が密閉された面であり、非対称内部Ｕ字管の内部に入水管が設けられ、入水管の下部２３の高さが排水管３の高さより大きく、入水管の上部２２の円管底面の半分が斜底面２２２であり、密閉されていないそのほかの半分と下部の半円管２３１とが連通し、下部の半円管底部の仕切り板５に１つの貫通孔４が設けられ、排水管の底部に接続し、入水管と排水管との間が１つの共用された仕切り板により隔てられ、かつ入水管の上、下部の結合箇所の外縁において、排水管の上方に浮遊防止シート装置６が設けられる。【選択図】図１４
0003200555.tif 000002
【実用新案登録請求の範囲】
【請求項１】
直管式の内部Ｕ字管床ドレンであって、非対称内部Ｕ字管と、浮力柱カバーとを含み、非対称内部Ｕ字管の外形が切欠き付きの直管であり、頂部には突出環と入水管の入水口とが設けられ、底部が密閉された面であり、非対称内部Ｕ字管の内部において、入水管全体の高さが排水管より大きく、かつ入水管の下部の高さが排水管の高さより大きく、入水管の上部の円管の底面の半分は斜底面であり、密閉されていないそのほかの半分と下部の半円管とが連通し、下部の半円管の底部の仕切り板箇所に１つの貫通孔が設けられ、排水管の底部に接続し、入水管と排水管との間が１つの共用された仕切り板により隔てられ、かつ入水管、上、下部の結合箇所の外縁において、排水管の上方に浮遊防止シート装置が設けられ、排水管はそのほかの半円管であり、出水口箇所に浮力柱カバーが設けられ、浮遊防止シート装置と一定の距離間隔を有し、浮力柱カバーが間隔の間で上下に垂直運動し、浮力柱カバーが浮遊防止シート装置まで浮かぶ時に停止し、排水し、排水が完成した後に、自動的に落下して排水管の出水口箇所をカバーすることを特徴とする直管式の内部Ｕ字管床ドレン。
【請求項２】
浮力柱カバーは半環浮力柱であり、蓋と柱体からなり、柱体の頂部が蓋であり、排水管の出水口の上方をカバーし、柱体が排水管の内部にあり、幅が仕切り板の幅より少し小さく、かつ両辺が半円形の内壁に沿って延伸するが、延伸部分が重なり合わないことを特徴とする請求項１に記載の直管式の内部Ｕ字管床ドレン。
【請求項３】
浮力柱カバーが底環パターンである場合には、頂部が蓋であり、排水管の出水口の上方をカバーし、中部柱体が排水管の内部にあり、底部の中空環に接続し、中空環と排水管内壁とが間隔を有し、浮力柱カバーに対して浮力を提供することを特徴とする請求項１に記載の直管式の内部Ｕ字管床ドレン。
【請求項４】
浮力柱カバー全体の高さは蓋の表面から浮遊防止シート装置までの垂直距離より大きく、かつ浮力柱カバーの全体構成がいずれも貫通孔の頂部の上方に位置することを特徴とする請求項１に記載の直管式の内部Ｕ字管床ドレン。
【請求項５】
排水管の側壁は一定の厚さを有し、それと浮力柱カバーの蓋との接触面積が標準に達することを確保し、空気漏れを防止するために、必要に応じて側壁が外へ傾斜した斜面として設計されることができ、蓋の底面も相応する斜面として設計されることもでき、接触面の増大と滞水防止の目的を実現することを特徴とする請求項１に記載の直管式の内部Ｕ字管床ドレン。
【請求項６】
該構成は床ドレンコアとして用いられ、それ自体は１つのドレンパネルを備えることができ、１つの一体型パネルと組み合わせた後に、床ドレンとして用いられることを特徴とする請求項１に記載の直管式の内部Ｕ字管床ドレン。
【請求項７】
浮遊防止シート装置と浮力柱カバーの蓋との接触面は平面であり、浮遊防止シート装置が柱体構成を採用しても、接触する時に必ず接触面が平面に達することを特徴とする請求項１に記載の直管式の内部Ｕ字管床ドレン。
【考案の詳細な説明】
【技術分野】
【０００１】
本案は直管式の内部Ｕ字管床ドレンに関する。
【背景技術】
【０００２】
従来、市場にはさまざまな床ドレンがあり、伝統的なトラップ付き式、重力によるシーリング式、シリカゲルによるシーリング式、磁気によるシーリング式がある。これらの製品は昆虫防止、防臭、臭気帰り防止などの機能を有し、かつほとんど自動シールを実現することができる。それらの製品には共通した問題として、材料が老朽化した後、或いは長時間にわたって使用した後に、前記床ドレンのシール機能に影響し、シール効果の低下を引き起こすことがある。
【考案の概要】
【考案が解決しようとする課題】
【０００３】
本案の目的は、外形が直管であり、内部が水シールと蓋シールとが結合した多重シール方式を採用し、かつ一定の自浄能力を有する床ドレンを提供することである。そのシール効果が持続的であり、かつ部材が老朽化する状況を最低限に低下させる。
【課題を解決するための手段】
【０００４】
前記目的を実現するために、本案は、以下の技術方案を提供する。直管式の内部Ｕ字管床ドレンは、非対称内部Ｕ字管と、浮力柱カバーと、を含み、非対称内部Ｕ字管の外形は切欠き付きの直管であり、頂部には突出環と入水管の入水口とが設けられ、底部が密閉された面であり、非対称内部Ｕ字管の内部において、入水管全体の高さが排水管の高さより大きく、かつ入水管の下部の高さが排水管の高さより大きく、入水管の上部の円管の底面の半分が斜底面であり、密閉しないそのほかの半分が下部の半円管と連通し、下部の半円管の底部の仕切り板箇所に１つの貫通孔が設けられ、排水管の底部に接続し、入水管と排水管との間が１つの共用された仕切り板により隔てられ、入水管の上、下部の結合箇所の外縁において、排水管の上方に浮遊防止シート装置が設けられ、排水管はそのほかの半円管であり、出水口箇所に浮力柱カバーが設けられ、かつ浮遊防止シート装置と一定の距離間隔を有し、浮力柱カバーは間隔の間で上下に垂直運動し、浮力柱カバーが浮遊防止シート装置まで浮かぶ時に停止し、排水し、排水が完了した後に、自動的に落下して排水管の出水口箇所をカバーする。
【０００５】
さらに、浮力柱カバーは半環浮力柱であり、蓋と柱体からなり、柱体の頂部が蓋であり、排水管の出水口の上方をカバーし、柱体が排水管の内部にあり、幅が仕切り板の幅より少し小さく、かつ両辺は半円形の内壁に沿って延伸するものの、延伸部分が重なり合わない。
【０００６】
さらに、浮力柱カバーが底環パターンである場合には、頂部が蓋であり、排水管の出水口の上方をカバーし、中部の柱体が排水管の内部にあり、底部の中空環に接続し、中空環と排水管の内壁とはある間隔を有し、浮力柱カバーに対して浮力を提供する。
【０００７】
さらに、浮力柱カバー全体の高さは蓋表面から浮遊防止シート装置までの垂直距離より大きく、かつ浮力柱カバーの全体構成はいずれも貫通孔の頂部の上方に位置する。
【０００８】
さらに、排水管の側壁は一定の厚さを有し、それは浮力柱カバーのカバーとの接触面積が標準に達することを確保し、空気漏れを防止するために、必要に応じて、側壁を外へ傾斜する斜面として設計することができ、蓋の底面も対応した斜面として設計し、接触面面積の増大および滞水防止の目的を実現する。
【０００９】
さらに、この構成は床ドレンコアとして用いられ、それ自体は１つのドレンパネルを備えることができ、１つの一体型パネルと組み合わせた後、床ドレンとして用いられる。
【００１０】
さらに、浮遊防止シート装置と浮力柱カバーの蓋とが接触した面は平面であり、浮遊防止シート装置は柱体構成を採用しても、接触する時に必ず平面で接触する結果に達する。
【００１１】
さらに、入水管の上部は円管形状であり、下部が半円管形状である。
【００１２】
さらに、非対称内部Ｕ字管の内部の入水管と排水管との間で１つの共用された仕切り板を内壁とする。
【００１３】
さらに、入水管の斜底面は１つの半円形斜面である。
【００１４】
さらに、入水管の斜底面は浮遊防止シート装置を取り替えることに用いられ、浮力柱カバーが過度に浮かぶことを防止するための構成とする。
【００１５】
さらに、入水管と排水管との外壁は切欠き付きの円柱直管である。
【００１６】
さらに、入水管が排水管より高く、水圧差を利用して浮力柱カバーを持ち上げて排水する。
【００１７】
さらに、浮力柱カバーの半環浮力柱は、排水管の半円形にある。
【００１８】
さらに、浮力柱カバーは半環浮力柱であり、その両辺は半円形の内壁に沿って延伸する。
【００１９】
さらに、浮力柱カバーが底環パターンである場合には、その両辺が延伸せず、かつ柱体の幅は限定されていない。
【００２０】
さらに、浮力柱カバーは半環浮力柱と底環パターンである場合には、その蓋と柱体とは使用したラベルが一致する。
【００２１】
さらに、柱体の幅と仕切り板とが等しく、そのため、その構成では半環浮力柱が上下移動をするだけであり、そのほかの方向の運動を行うことができない。
【００２２】
さらに、浮力柱カバーは重力により落ちて出水口をカバーする。
【００２３】
さらに、浮力柱カバーの表面がその柱体の面積より大きい。
【００２４】
さらに、排水管の側壁は一定の厚さを有し、蓋のシールに対して優れた接触面を提供する。
【００２５】
さらに、排水管の壁厚を増加するために、その出水口箇所はさらに広げる処理を行うことができる。
【００２６】
さらに、半環浮力柱の延伸部分が重なり合わない目的は、一つの出水口を保留することにある。
【００２７】
さらに、蓋の押圧力を確保するために、浮力を確保する状況で、蓋内部は重さを増加し、或いは厚さを増加することで重量増加の目的を実現する。
【００２８】
さらに、増加した重量は金属製品によるものであってもよい。
【００２９】
さらに、その構成は床ドレンコアとして用いられる。
【００３０】
さらに、床ドレンコアとして用いられた時に、入水口位置に設けられたパネルは髪の混入防止の機能を有する。
【００３１】
さらに、入水口の位置に設けられたパネルは任意に設けられる部品である。
【００３２】
さらに、床ドレンコアおよび表面に設けられたパネルは、通常は、プラスチック材質である。
【００３３】
さらに、プラスチックコアおよびパネルは、変形度が小さく、吸水性が悪く、かつ一定の重量を有し、品質が信頼できるＡＢＳ産業用プラスチックなどの材料を採用して作成すべきである。
【００３４】
さらに、一体型のパネルを備える時には、それは完全機能の床ドレンである。
【００３５】
さらに、一体型のパネルの材質は金属材質、亜鉛めっき合金などである。
【００３６】
さらに、一体型のパネルは床ドレンコアに接続して一体になる。
【考案の効果】
【００３７】
本案の優れた効果は、直管式の内部Ｕ字管床ドレンは、水が入水管に流入した後に、底部の貫通孔から排水管に入る。排水管が入水管の高さより低く、その内部に非対称の内部Ｕ字管を形成する。非対称の内部Ｕ字管の内部には滞水した時に、水圧差を利用して浮力柱カバーを持ち上げて、排水する。つまり、排水管内の柱体が非対称の内部Ｕ字管の内で水位とともに上昇し、柱体もそれに伴って浮かび、蓋を自動的にオープンし、排水を実現する。水流が大きすぎる時に、水位が高まり、蓋が浮遊防止シート装置に当接して、最大のオープン水準に達し、続いて排水を完成する。水が全部排出された後、浮力柱カバーの柱体が水位とともに降下し、蓋が閉まる。水が全部排出される時に、蓋がまだ完全に落下することができない場合、底部の非対称の内部Ｕ字管の構成は液体シールの機能を実現する。液体が経時的に蒸発した後に、水位が持続的に低下し、この時に、蓋が完全に閉まることができる。蓋は重力による自然落下の原理を利用し、蓋は排水した後に自然落下し、そのほかの外力を借りず閉止の目的を実現することができる。その高低差を有する内部構成は、髪などの物体を自動的に除外することができ、遮断する必要がなく、すぐに掃除する必要もないことにある。
【００３８】
それは、カバーシールと液体シールとが結合したシール方式であり、その目的は多重シールを利用してより優れたシール効果を実現することである。昆虫防止、臭気返り防止の効果を実現し、かつ持続的であり、効果的である。それは床ドレンコアとして排水管に加えて使用することができ、全体パネルを加えて全体の床ドレン製品を作成することもできる。床ドレンコアはプラスチック材質を採用するので、製造コストがより低いものの、効果が非常的に良い。優れた性能と比較的低いコストを有し、持続性と低故障率を確保するために、この床ドレンは市場での売れ行きがよいと見込まれる。
【図面の簡単な説明】
【００３９】
【図１】本案の床ドレンの正面構成を模式的に示す図である。。
【図２】本案の床ドレンの側面構成を模式的に示す図である。。
【図３】本案の床ドレンの正面蓋がクローズする時の透視構成を模式的に示す図である。。
【図４】本案の床ドレンの正面蓋がオープンする時の透視構成を模式的に示す図である。。
【図５】本案の床ドレンの側面蓋がクローズする時の透視構成を模式的に示す図である。。
【図６】本案の床ドレンの側面蓋がオープンする時の透視構成を模式的に示す図である。。
【図７】本案の床ドレンコアの正面構成を模式的に示す図である。。
【図８】本案の床ドレンコアの側面構成を模式的に示す図である。。
【図９】本案の床ドレンコアの正面蓋がクローズする時の透視構成を模式的に示す図である。。
【図１０】本案の床ドレンコアの正面蓋がオープンする時の透視構成を模式的に示す図である。。
【図１１】本案の床ドレンコアの側面蓋がクローズする時の透視構成を模式的に示す図である。。
【図１２】本案の床ドレンコアの側面蓋がオープンする時の透視構成を模式的に示す図である。。
【図１３】本案の床ドレンコア構成を模式的に示す図である。。
【図１４】本案の床ドレンコアの半断面構成１を模式的に示す図である。。
【図１５】本案の床ドレンコアの半断面構成２を模式的に示す図である。。
【図１６】本案の床ドレンコアの浮力柱カバー構成１を模式的に示す図である。。
【図１７】本案の床ドレンコアの浮力柱カバー構成２を模式的に示す図である。。
【図１８】本案の床ドレンコアが所有するパネル構成を模式的に示す図である。。
【考案を実施するための形態】
【００４０】
以下、図面および具体的な実施形態に合わせて本案をさらに詳しく説明する。
【００４１】
図１〜１８に示すように、直管式の内部Ｕ字管床ドレンは、非対称内部Ｕ字管１と、浮力柱カバー３１とを含み、非対称内部Ｕ字管１の外形は切欠き付きの直管であり、頂部には突出環１２と入水管２の入水口２１とが設けられ、底部は密閉された面であり、非対称内部Ｕ字管１の内部において、入水管２全体の高さが排水管３の高さより大きく、かつ入水管２の下部２３の高さが排水管３の高さより大きく、入水管２の上部２２の円管２２１の底面の半分が斜底面２２２であり、密閉されていないそのほかの半分が下部の半円管２３１と連通し、下部半円管２３１の底部の仕切り板５の箇所に１つの貫通孔４が設けられ、排水管３の底部に接続し、入水管２と排水管３との間に共用された仕切り板５により隔てられ、かつ入水管２の上、下部の結合箇所の外縁において、排水管３の上方に浮遊防止シート装置６が設けられ、排水管３の別の半円管２３１は、出水口箇所に浮力柱カバー３１が設けられ、かつ浮遊防止シート装置６と一定の距離間隔を有し、浮力柱カバー３１が間隔の間で上下に垂直運動し、浮力柱カバー３１が浮遊防止シート装置６に浮かぶ時に停止し、排水し、排水が完了した後に、自動的に落下して排水管３の出水口箇所をカバーする。
【００４２】
使用過程において、床ドレンコアとして用いられる時に、入水口２１位置に設けられたパネル１３は髪の混入防止の機能を有する。設けられたパネル１３を使わない時に、その高低差を有する内部構成は髪などの物体を自動的に除外することができる。そのため、それは任意に設けられる部品としてのみ製品と用途に応じて使用される。同様に代案とする底環パターンの浮力柱カバー３１は、中部柱体３１２が排水管３の内部にあり、底部の中空環３１３に接続し、中空環３１３と排水管３の内壁とが一定の間隔を有し、浮力柱カバー３１に対して浮力を提供する。それと同時に、浮力柱カバー３１の蓋３１１と浮遊防止シート装置６とが接触した面は平面６１である。
【００４３】
直管式の内部Ｕ字管床ドレンは、水が入水管２に流入した後に、底部の貫通孔４から排水管３に入る。排水管３が入水管２の高さより低いので、その内部は１つの非対称内部Ｕ字管１を形成する。非対称内部Ｕ字管１の内部に滞水を生じる時に、水圧差を利用して浮力柱カバー３１を持ち上げて、排水する。つまり、排水管３内の柱体３１２は非対称内部Ｕ字管１内に水位とともに上昇し、柱体３１２もそれに伴って浮かび、蓋３１１を自動的にオープンし、排水を実現する。水流が大きすぎる時には、水位が高まり、蓋３１１が浮遊防止シート装置６に当接し、最大のオープン水準に達し、続いて排水を完成する。水が全部排出された時に、浮力柱カバー３１の柱体３１２は水位とともに低下し、蓋３１１をクローズする。水が全部排出された時に、蓋３１１がまだ完全に落下することができない場合、底部の非対称内部Ｕ字管１の構成は液体シールの機能を実現する。液体が経時的に蒸発した後に、水位が持続的に低下し、この時に、蓋３１１は完全にクローズすることができる。蓋３１１が重力による自然落下の原理を利用し、蓋３１１が排水した後に自然落下し、そのほかの外力を借りず閉止の目的を実現することができる。その高低差を有する内部構成は髪などの物体を自動的に除外することができ、遮断する必要がなく、すぐに掃除する必要もない。
【００４４】
それはカバーシールと液体シールとが結合したシール方式であり、目的は多重シールを利用してより優れたシール効果を実現することである。昆虫防止、臭気帰り防止の効果を実現することができ、かつ持続的であり、効果的である。それは床ドレンコアとして排水管３に加えて用いられ、一体型パネル１１を加えて全体の床ドレン製品を作成することもできる。床ドレンコアがプラスチック材質を採用するので、製造コストも相対的に低いが、効果が非常的によい。優れた性能と相対的に低いコストを有し、持続性と低故障率を確保するため、この床ドレンは市場での売れ行きがよいと見込まれる。
【符号の説明】
【００４５】
１  非対称内部Ｕ字管
１１  一体型パネル
１２  リング
１３  パネル
２  入水管
２１  入水口
２２  入水管の上部
２２１  円管
２２２  斜底面
２３  入水管の下部
２３１  半円管
３  排水管
３１  浮力柱カバー
３１１  蓋
３１２  柱体
３１３  中空環
４  貫通孔
５  仕切り板
６  浮遊防止シート装置
６１  平面。
【図１】
0003200555.tif 000003
【図２】
0003200555.tif 000004
【図３】
0003200555.tif 000005
【図４】
0003200555.tif 000006
【図５】
0003200555.tif 000007
【図６】
0003200555.tif 000008
【図７】
0003200555.tif 000009
【図８】
0003200555.tif 000010
【図９】
0003200555.tif 000011
【図１０】
0003200555.tif 000012
【図１１】
0003200555.tif 000013
【図１２】
0003200555.tif 000014
【図１３】
0003200555.tif 000015
【図１４】
0003200555.tif 000016
【図１５】
0003200555.tif 000017
【図１６】
0003200555.tif 000018
【図１７】
0003200555.tif 000019
【図１８】
0003200555.tif 000020